(57)【特許請求の範囲】
【請求項１】
カウンターの取付孔に固定される水栓本体は、胴体部から延設したホルダーにハンドシャワーを引出し自在に支持し、下部には水栓本体の内部に装着した混合弁に接続される給水配管，給湯配管，及び混合弁から湯水を供給する送水配管と、該送水配管と前記ハンドシャワーを接続するホースとを接近して垂設したハンドシャワー付混合水栓において、前記配管にはホースとの接触を防止する保護カバーを装着し、該保護カバーは係合部と仕切り部とからなり、係合部は給水配管及び給湯配管の外周を覆うとともに各配管に弾力的に係合可能な湾曲面を備え、仕切り部は係合部と一体で且つ送水配管を覆うように縦長の板状に形成され、前記係合部を配管に着脱自在に装着可能としたことを特徴とするハンドシャワー付混合水栓。
【発明の詳細な説明】
【０００１】
【発明の属する技術分野】
本発明は、流し台又は洗面化粧台に取付けて使用するハンドシャワー付混合水栓に関する。
【０００２】
【従来の技術】
従来、流し台又は洗面化粧台のカウンターに取付けて使用する混合水栓で、ハンドシャワーをホースと共にホルダーから引出して広い範囲に吐水できるようにしたものとして図５のものがある。この図５について簡単に説明すると、水栓本体２３はカウンター２１に起立した状態で取付けられており、カウンター２１の取付孔２２を挿通する接続筒２４の下方に、水を供給する給水配管２５及び湯を供給する給湯配管２６を垂設し、この接続筒２４の上方から斜め上方に延びる回転自在のホルダー２７に金属製のホース２９と接続したハンドシャワー２８を引出し自在に支持し、水栓本体２３の内部には湯と水の混合比率及び流量を調節する混合弁３０を収容し、この混合弁３０の混合室と連通して前記給水配管２５及び給湯配管２６と併設した送水配管３２は、下端でカプラー３３によりカウンター２１の下部に垂れ下がる前記ホース２９の他端に接続し、前記混合弁３０と連繋したレバー３１の操作により温度及び流量の調節された湯水は、送水配管３２及びホース２９を介してハンドシャワー２８から外部へ供給されるものである。
【０００３】
このような従来のハンドシャワー付混合水栓では、カウンターの取付孔に給水配管，給湯配管だけでなく送水配管及びホースが接近した状態で併設して挿通される。この場合取付孔は小径であり、小径の取付孔に３本の配管及びホースが密接して挿通しているため、ハンドシャワーをホルダーから引出したり収容するたびに、金属製のホースはカウンターの下部で給水配管，給湯配管又は送水配管に接触しながら上下に移動して異音が発生するうえ、各配管を傷付けてしまい、長期間使用していると最悪の場合は各配管は磨耗して孔があき、配管からの漏水により床を水浸しとして拡大損害となる恐れがあった。
【０００４】
【発明が解決しようとする課題】
本発明が解決しようとする課題は、ハンドシャワーをホースと共にホルダーから引出し自在に支持したハンドシャワー付混合水栓において、水栓本体の下部で移動するホースが、給水配管，給湯配管又は送水配管に衝突するのを防止し、各配管の保護を図ることである。
【０００５】
【課題を解決するための手段】
本発明は請求項１では、カウンターの取付孔に固定される水栓本体は、胴体部から延設したホルダーにハンドシャワーを引出し自在に支持し、下部には水栓本体の内部に装着した混合弁に接続される給水配管，給湯配管，及び混合弁から湯水を供給する送水配管と、該送水配管と前記ハンドシャワーを接続するホースとを接近して垂設したハンドシャワー付混合水栓において、前記配管にはホースとの接触を防止する保護カバーを装着し、該保護カバーは係合部と仕切り部とからなり、係合部は給水配管及び給湯配管の外周を覆うとともに各配管に弾力的に係合可能な湾曲面を備え、仕切り部は係合部と一体且つ送水配管を覆うように縦長の板状に形成され、前記係合部を配管に着脱自在に装着可能としたものである。
【０００６】
【発明の実施の形態】
以下、本発明の実施の形態を図に基づいて詳細に説明する。
本発明の水栓本体３は図１に示すように、下部に突出して形成した接続筒４を胴体部５より小径にして、流し台又は洗面化粧台のカウンター１に穿設した取付孔２に挿通し、カウンター１の下部からナット６を接続筒４に螺着することでカウンター１に起立した状態で固定されている。
【０００７】
水栓本体３の内部には固定板及び可動板を上下に重ね合わせた混合弁７を装着しており、この混合弁７と連繋したレバー８を上下及び左右に操作することで、湯水の吐水流量及び温度が調節される。
【０００８】
水栓本体３の接続筒４と混合弁７の間の外周には、ハンドシャワー１０を引出し自在に支持するホルダー９が上傾して回転可能に設けられており、ハンドシャワー１０の基端には薄肉螺旋状で金属製のホース１１が接続され、該ホース１１はホルダー９及び接続筒４の内部を通過してカウンター１の下部に垂れ下がっており、ハンドシャワー１０はホルダー９に支持した状態又はホルダー９からホース１１と共に引出して使用し、レバー８を吐水方向へ操作すればハンドシャワー１０先端の吐水ヘッド１０ａから湯水を吐水可能となっている。
【０００９】
前記混合弁７の下部には、給水源から水を供給する給水配管１２，給湯源から湯を供給する給湯配管１３、及び混合弁７により吐水流量及び温度を設定された湯水をハンドシャワー１０へ供給する送水配管１４が接続され、これらの各配管１２，１３，１４には銅管を用い、図２に示すように接続筒４の内部は前記各配管１２，１３，１４に加えて、ホース１１が接近して垂設している。
【００１０】
前記ホース１１は水栓本体３及び接続筒４内からカウンター１下部にＵ字型に垂れ下がった状態で収納され、ハンドシャワー１０をホルダー９から引出して流し台や洗面化粧台で洗い物作業等に使用しても充分に足りるだけの長さとし、他端はカウンター１の下部で前記送水配管１４に結合している。
【００１１】
前記給水配管１２及び給湯配管１３には、水栓本体３の下部で向かい合って併設する金属製のホース１１が接触するのを防止するための保護カバー１５を着脱自在に装着している。保護カバー１５は例えば合成樹脂材からなり、図３及び図４に示すように全体として縦長の板状で係合部１６と仕切り部１８からなり、縦長の係合部１６はホース１１と向かい合う給水配管１２及び給湯配管１３の外周に前面から覆って押し込めば弾力的に係合可能な一対の湾曲面１７，１７を備えており、仕切り部１８は係合部１６と一体で、上下に摺動するホース１１が各配管１２，１３だけでなく送水配管１４とも接触しないように縦長に形成し、送水配管１４も覆うことのできるものであり、工具を用いることなく手作業で簡単に保護カバー１５を各配管１２，１３に装着することができ、続いてこの各配管１２，１３を水栓本体３の混合弁７に接続することができる。なお、保護カバーは給水配管，給湯配管及び送水配管が既に混合弁に接続されている既設のハンドシャワー付混合水栓の各配管に、後付けで装着することもできる。また、本実施例の保護カバーは、単一の物品で給湯配管と給水配管に装着しているが、給湯配管用と給水配管用に分割して別物品としてもよい。
【００１２】
上記構成において、ハンドシャワー付混合水栓のレバー８を吐水方向へ操作することで、混合弁７で吐水流量及び温度を調節された湯水が送水配管１４，ホース１１を通過して、ホルダー９に支持されたハンドシャワー１０から外部へ吐出される。また、ハンドシャワー１０を手に持ってホルダー９からホース１１の長さ分だけ引出せば、吐水ヘッド１０ａから広い範囲に湯水を供給して洗い物作業等を行なうことができる。
【００１３】
そしてハンドシャワー１０をホルダー９から引出したり収容する際には、ハンドシャワー１０と共にホース１１が上下に移動するが、給水配管１２，給湯配管１３には水栓本体３の内部及びカウンター１の下部で併設して向かい合っているホース１１と直接接触しないように保護カバー１５を装着しているので、金属製のホース１１と給水配管１２，給湯配管１３又は送水配管１４が直接接触することがなく、騒音が発生したり金属製のホース１１で各配管１２，１３，１４が磨耗することがないようにしている。
【００１４】
【発明の効果】
本発明では、カウンターの取付孔に固定される水栓本体は、胴体部から延設したホルダーにハンドシャワーを引出し自在に支持し、下部には水栓本体の内部に装着した混合弁に接続される給水配管，給湯配管，及び混合弁から湯水を供給する送水配管と、該送水配管と前記ハンドシャワーを接続するホースとを接近して垂設したハンドシャワー付混合水栓において、前記配管にはホースとの接触を防止する保護カバーを装着し、該保護カバーは係合部と仕切り部とからなり、係合部は給水配管及び給湯配管の外周を覆うとともに各配管に弾力的に係合可能な湾曲面を備え、仕切り部は係合部と一体且つ送水配管を覆うように縦長の板状に形成され、前記係合部を配管に着脱自在に装着可能としたので、ハンドシャワーをホルダーから引出したり収容する際に、水栓本体の内部及びカウンターの下部でホースと各配管が直接接触することがなく、ホースが金属製の場合に配管に接触することにより発生する異音や配管の磨耗を防止することができ、ハンドシャワー付混合水栓の耐久性を大幅に向上させることができる。
【００１５】
また保護カバーは、配管に弾力的に係合する係合部を形成して配管に着脱自在に装着可能であり、工具を用いることなく手作業で簡単に行なうことができる。
【００１６】
さらに保護カバーは、既設のハンドシャワー付混合水栓をそのまま有効に利用して配管に後付けで装着することができ、わざわざ混合水栓を新たに取り替える必要がなく経済的である。
【図面の簡単な説明】
【図１】  ハンドシャワー付混合水栓の部分側断面図である。
【図２】  図１のＡ―Ａ線における断面図である。
【図３】  保護カバーの斜視図である。
【図４】  保護カバーの装着要領の説明図である。
【図５】  従来技術の説明図である。
【符号の説明】
１      カウンター
２      取付孔
３      水栓本体
５      胴体部
７      混合弁
９      ホルダー
１０    ハンドシャワー
１１    ホース
１２    給水配管
１３    給湯配管
１４    送水配管
１５    保護カバー
１６    係合部
１７    湾曲面
１８    仕切り部
【図１】
0003754872.tif 000002
【図２】
0003754872.tif 000003
【図３】
0003754872.tif 000004
【図４】
0003754872.tif 000005
【図５】
0003754872.tif 000006